(57)【要約】【課題】装置の外観形状を複雑にすることなく、装置本体の複数の面にそれぞれ設けられた複数の開閉部材を容易に開放させることができる記録装置を提供する。【解決手段】記録装置１０は、媒体に液体を噴射して記録を行う記録ヘッド４０と、記録ヘッドを内部に収容し、その外面が上面である原稿載置面１５と原稿載置面に隣接して交差する前面１７とを含んで構成される装置本体１２と、装置本体の上面である原稿載置面において開閉可能に設けられた原稿カバー１６と、装置本体の前面１７において開閉可能に設けられた前面カバー２４と、を備え、装置本体における上面である原稿載置面と前面とが交差する位置に、原稿カバー及び前面カバーをそれぞれ開放動作させるときに共用される手掛け用の凹部４３が位置している。【選択図】図５
2019098566.tif 000002
【特許請求の範囲】
【請求項１】
媒体に液体を噴射して記録を行う記録部と、
前記記録部を内部に収容し、その外面が第１面と前記第１面に隣接して交差する第２面とを含んで構成される装置本体と、
前記装置本体の前記第１面において開閉可能に設けられた第１開閉部材と、
前記装置本体の前記第２面において開閉可能に設けられた第２開閉部材と、
を備え、
前記装置本体における前記第１面と前記第２面とが交差する位置に、前記第１開閉部材及び前記第２開閉部材をそれぞれ開放動作させるときに用いる手掛け用の凹部が位置していることを特徴とする記録装置。
【請求項２】
前記第１面は、前記記録装置が使用可能に設置された状態における前記装置本体の上面であり、前記第２面は、前記装置本体の正面となる前面であり、前記凹部は、前記装置本体の前面上部に設けられている前記記録装置の操作を行う操作部と隣り合う位置に設けられていることを特徴とする請求項１に記載の記録装置。
【請求項３】
前記装置本体の前記前面には、前記液体を収容可能とする液体収容部が前記凹部と隣り合うように設けられていることを特徴とする請求項２に記載の記録装置。
【請求項４】
前記液体収容部は、外部から前記液体を注入可能であることを特徴とする請求項３に記載の記録装置。
【請求項５】
前記液体収容部には、ユーザーが手を掛けて操作することで前記液体収容部を上方から覆う閉じ状態と当該液体収容部の上方を開放する開き状態とに開閉動作可能とされる第３開閉部材が設けられていることを特徴とする請求項３又は請求項４に記載の記録装置。
【請求項６】
前記第３開閉部材は、前記装置本体の前記前面上部に位置する前記凹部を利用して手を掛けられることにより前記閉じ状態から前記開き状態となるように前方側に回動して開放動作することを特徴とする請求項５に記載の記録装置。
【請求項７】
前記液体収容部は、前記第２開閉部材よりも前方側に突出するように設けられていることを特徴とする請求項３〜請求項６のうち何れか一項に記載の記録装置。
【請求項８】
前記第２開閉部材は、前記第２面において開放動作させられた場合に、第１開き状態において保持可能とされるとともに、当該第１開き状態よりも大きな開き角度で開放される第２開き状態においても保持可能とされることを特徴とする請求項１〜請求項７の何れか一項に記載の記録装置。
【請求項９】
前記装置本体の前面側における前記第２開閉部材よりも下方となる位置には、前記装置本体内から排出される前記媒体を載置可能なスタッカーが配置されており、前記第２開閉部材は、前記スタッカーに上側から接触することで前記第２開き状態に保持されることを特徴とする請求項８に記載の記録装置。
【発明の詳細な説明】
【技術分野】
【０００１】
本発明は、媒体に記録を行う記録装置に関する。
【背景技術】
【０００２】
従来から、用紙等の媒体に対してインク等の液体を噴射して記録を行う記録部を備えたプリンター等の記録装置が知られている。このような記録装置のうちには、記録部を内部に収容した装置本体の上面（第１面）と前面（第２面）とに開閉可能な開閉部材をそれぞれ設け、それらの開閉部材をユーザーが手を掛けることで閉じ状態から開き状態に開放動作させるようにしたものがある。例えば、装置本体の上面（第１面）において開閉する開閉部材（第１開閉部材）が媒体搬送装置で構成される一方、装置本体の前面（第２面）において開閉する開閉部材（第２開閉部材）が装置本体内を紙詰まり除去等でメンテナンスする際に開放されるカバー部材で構成された記録装置がある（特許文献１参照）。
【先行技術文献】
【特許文献】
【０００３】
【特許文献１】特開２０１２−１７９７３０号公報
【発明の概要】
【発明が解決しようとする課題】
【０００４】
ところで、上記した従来の記録装置では、装置本体の上面に設けられた媒体搬送装置と装置本体の前面に設けられたカバー部材との間に、パネル状の操作部が設けられている。そのため、装置本体には、ユーザーが媒体搬送装置を開放させるときに用いる手掛け用の凹部とカバー部材を開放させるときに用いる手掛け用の凹部とを、各々独立させて別々の位置に設けることが必要となり、装置の外観形状が複雑化するという問題があった。
【０００５】
本発明は、こうした実情に鑑みてなされたものであり、その目的は、装置の外観形状を複雑にすることなく、装置本体の複数の面にそれぞれ設けられた複数の開閉部材を容易に開放させることができる記録装置を提供することにある。
【課題を解決するための手段】
【０００６】
以下、上記課題を解決するための手段及びその作用効果について記載する。
上記課題を解決する記録装置は、媒体に液体を噴射して記録を行う記録部と、前記記録部を内部に収容し、その外面が第１面と前記第１面に隣接して交差する第２面とを含んで構成される装置本体と、前記装置本体の前記第１面において開閉可能に設けられた第１開閉部材と、前記装置本体の前記第２面において開閉可能に設けられた第２開閉部材と、を備え、前記装置本体における前記第１面と前記第２面とが交差する位置に、前記第１開閉部材及び前記第２開閉部材をそれぞれ開放動作させるときに用いる手掛け用の凹部が位置している。
【０００７】
この構成によれば、第１開閉部材を開放動作させるためにユーザーが手を掛けるときに指先を差し入れる手掛け用の凹部と、第２開閉部材を開放動作させるためにユーザーが手を掛けるときに指先を差し入れる手掛け用の凹部とが共用される。すなわち、装置本体の外面における複数箇所に複数の手掛け用の凹部を分散させて設けなくてよい。そのため、外観形状を複雑にすることなく、装置本体の複数の面にそれぞれ設けられた複数の開閉部材を容易に開放させることができる。
【０００８】
上記記録装置において、前記第１面は、前記記録装置が使用可能に設置された状態における前記装置本体の上面であり、前記第２面は、前記装置本体の正面となる前面であり、前記凹部は、前記装置本体の前面上部に設けられている前記記録装置の操作を行う操作部と隣り合う位置に設けられていることが好ましい。
【０００９】
この構成によれば、装置本体の前面上部に、第１開閉部材及び第２開閉部材をそれぞれ開放動作させるときに共用される手掛け用の凹部とユーザーにより操作される操作部とが隣り合っているため、操作性が向上する。
【００１０】
上記記録装置において、前記装置本体の前記前面には、前記液体を収容可能とする液体収容部が前記凹部と隣り合うように設けられていることが好ましい。
上記記録装置において、前記液体収容部は、外部から前記液体を注入可能であることが好ましい。
【００１１】
この構成によれば、液体収容部に対する液体の注入作業を装置本体の正面となる前面側から行うことができるので、作業性が向上する。
上記記録装置において、前記液体収容部には、ユーザーが手を掛けて操作することで前記液体収容部を上方から覆う閉じ状態と当該液体収容部の上方を開放する開き状態とに開閉動作可能とされる第３開閉部材が設けられていることが好ましい。
【００１２】
この構成によれば、例えば液体収容部に外部から液体を注入するために第３開閉部材を閉じ状態から開き状態に開放動作させる操作を装置本体の正面である前面側から行うことができるので、この点でも、操作性が向上する。
【００１３】
上記記録装置において、前記第３開閉部材は、前記装置本体の前記前面上部に位置する前記凹部を利用して手を掛けられることにより前記閉じ状態から前記開き状態となるように前方側に回動して開放動作することが好ましい。
【００１４】
この構成によれば、第３開閉部材を開放動作させるためにユーザーが手を掛けるときに指先を差し入れる手掛け用の凹部についても、第１開閉部材及び第２開閉部材のそれぞれを開放動作させるためにユーザーが手を掛けるときに指先を差し入れる手掛け用の凹部と共用することができる。
【００１５】
上記記録装置において、前記液体収容部は、前記第２開閉部材よりも前方側に突出するように設けられていることが好ましい。
この構成によれば、液体収容部の占有空間の一部を装置本体の外部に設けることができるので、装置本体の小型化を図れる一方で液体収容部の大容量化を図ることができる。
【００１６】
上記記録装置において、前記第２開閉部材は、前記第２面において開放動作させられた場合に、第１開き状態において保持可能とされるとともに、当該第１開き状態よりも大きな開き角度で開放される第２開き状態においても保持可能とされることが好ましい。
【００１７】
この構成によれば、例えば、第２開閉部材を開放させて装置本体の内部をメンテナンスする場合において、第１開き状態ではメンテナンス作業に支障がある場合には、その第２開閉部材を第１開き状態よりも開き角度の大きい第２開き状態にすれば、メンテナンス作業をし易くなる。
【００１８】
上記記録装置において、前記装置本体の前面側における前記第２開閉部材よりも下方となる位置には、前記装置本体内から排出される前記媒体を載置可能なスタッカーが配置されており、前記第２開閉部材は、前記スタッカーに上側から接触することで前記第２開き状態に保持されることが好ましい。
【００１９】
この構成によれば、第２開閉部材が第２開き状態から更に大きな開き角度まで開放動作されることを下方から接触するスタッカーにより規制できるので、第２開閉部材が大きく開放されて他の部材にぶつかる虞を低減できる。
【図面の簡単な説明】
【００２０】
【図１】一実施形態の記録装置を示す斜視図。
【図２】原稿カバーが開き状態とされた記録装置を示す斜視図。
【図３】前面カバーが開き状態とされた記録装置を示す斜視図。
【図４】タンクカバーが開き状態とされた記録装置を示す斜視図。
【図５】記録装置の内部構造を概略的に示す側断面図。
【図６】使用状態時の記録装置を概略的に示す側断面図。
【図７】前面カバーを裏面側から見た場合の斜視図。
【図８】記録装置の前面と上面が交差する角部の部分を概略的に示す側断面図。
【図９】使用状態で前面カバーが開放された記録装置を概略的に示す側断面図。
【図１０】前面カバーが開放された記録装置の一部を示す部分斜視図。
【図１１】図１０における１１−１１線矢視断面図。
【図１２】前面カバーが第２開き状態とされた記録装置を概略的に示す側断面図。
【発明を実施するための形態】
【００２１】
以下、記録装置の一実施形態を図面に従って説明する。
図１に示すように、本実施形態の記録装置１０は、例えば用紙等の媒体Ｐに液体の一例であるインクを噴射して記録を行うインクジェット式プリンターであり、水平な使用場所に設置された状態で、高さ、奥行及び幅としてそれぞれ所定の長さを有する略直方体状の装置本体１２を備えている。図１では、記録装置１０が水平面上に置かれているものとして、鉛直方向をＺ軸で示し、鉛直方向に対して垂直な水平面に沿う方向をＸ軸及びＹ軸で示す。以下の説明では、Ｘ軸に沿う方向を幅方向、Ｙ軸に沿う方向を奥行方向ともいい、幅方向、奥行方向及び鉛直方向は、相互に交差（好ましくは直交）する。
【００２２】
図１及び図２に示すように、装置本体１２は、略直方体状の筐体１３と、筐体１３上に配置される原稿読取装置１４とを備えている。原稿読取装置１４は、読取用の原稿が載置される透明なガラス等からなる水平な原稿載置面１５と、その原稿載置面１５を覆うことが可能な原稿カバー１６とを備えている。原稿カバー１６は、原稿載置面１５を上方から覆う閉じ状態（図１の状態）と、その閉じ状態から開いて原稿載置面１５の上方域を開放する開き状態（図２の状態）との間で、幅方向に沿うＸ軸を回動中心にして開閉動作可能に設けられている。この場合、原稿読取装置１４の原稿載置面１５は、装置本体１２が有する複数（この場合は６つ）の外面のうち鉛直方向の上側を向いた上面（第１面）を構成する。そして、原稿カバー１６は、装置本体１２の上面（第１面）の一例である原稿載置面１５において開閉動作する第１開閉部材に相当する。
【００２３】
図１及び図３に示すように、筐体１３の外面において、装置本体１２の正面となる前面１７の下部には、内部から媒体Ｐを排出するための排出口１８が設けられている。排出口１８の内部には、筐体１３内からＹ軸に沿う奥行方向の手前側に向けて排出される媒体Ｐを載置状態にして支持するためのスタッカー１９が設けられている。また、筐体１３の前面１７における上部には記録装置１０のユーザーによって操作される操作部２０が設けられている。操作部２０は、Ｘ軸に沿う幅方向が長手方向となる横長のパネルであり、記録装置１０をオン又はオフする際に操作される電源ボタン２１や各種の操作情報を入力する際に操作される操作ボタン２２が設けられている。
【００２４】
装置本体１２における筐体１３の前面１７のうち、Ｚ軸に沿う鉛直方向において排出口１８と操作部２０との間となる位置には、Ｘ軸に沿う幅方向の長さが排出口１８と略同じの矩形状をなす開口部２３が設けられている。そして、筐体１３の前面１７には、正面形状が開口部２３と略同一の矩形の前面カバー２４が、開口部２３を閉塞する閉じ状態（図１の状態）と開口部２３を開放する開き状態（図３の状態）との間で、幅方向に沿うＸ軸を回動中心にして開閉動作するように設けられている。図３に示すように、前面カバー２４が開き状態とされた場合、ユーザーは、メンテナンス等のために、開口部２３を介して筐体１３内に手を差し入れることが可能となる。
【００２５】
ここで、筐体１３の前面１７は、装置本体１２の外面のうち上面（第１面）を構成する原稿読取装置１４の原稿載置面１５に対して、その原稿載置面１５の前端から下方に屈曲する垂直な面であり、この点で、装置本体１２の外面のうちで上面（第１面）に隣接して交差する第２面を構成している。さらに、前面カバー２４は、装置本体１２の前面（第２面）の一例である筐体１３の前面１７において開閉動作する第２開閉部材に相当する。なお、前面カバー２４は、その下端部を回動支点として、上端部が前方側に回動することにより、図１に示す閉じ状態から図３に示す開き状態へと開放動作するように構成されている。
【００２６】
図１及び図４に示すように、装置本体１２における筐体１３の前面１７のうち幅方向で前面カバー２４と隣り合う位置には、インク等の液体を収容可能なタンク形態の液体収容部２５が設けられている。すなわち、記録装置１０を正面から見た場合に前面カバー２４に対して幅方向の一方側（図１及び図４においては右側）で隣り合う位置に、液体収容部２５は設けられている。この場合、液体収容部２５は、筐体１３の前面１７における前面カバー２４よりも奥行方向の手前側である前方側に突出するように設けられている。すなわち、液体収容部２５は、装置本体１２を構成する筐体１３の外部領域に液体の収容空間を確保している。
【００２７】
また、液体収容部２５には、ユーザーが手を掛けて操作することで液体収容部２５を上方から覆う閉じ状態（図１の状態）と液体収容部２５の上方を開放する開き状態（図４の状態）とに、幅方向に沿うＸ軸を回動中心にして開閉動作可能とされるタンクカバー２６が設けられている。すなわち、タンクカバー２６は、その前端側の下部を回動支点として後端部が前方側に回動することにより、図１に示す閉じ状態から図４に示す開き状態へと開放動作するように構成されている。この点で、タンクカバー２６は、ユーザーが手を掛けて操作することで液体収容部２５を上方から覆う閉じ状態と液体収容部２５の上方を開放する開き状態とに開閉動作可能とされる第３開閉部材に相当する。そして、液体収容部２５は、タンクカバー２６を開き状態にしたとき、図４において二点鎖線で示すように、補充用の液体ボトル２７を図示しない注入口に差し込むことにより、液体を補充可能とされている。
【００２８】
図５及び図６に示すように、記録装置１０は、装置本体１２を構成する筐体１３の背面側に媒体給送部２８を有する。媒体給送部２８は、不図示の給送ローラーと対向する位置で媒体Ｐを斜め姿勢にして載置可能な媒体載置部２９と、使用状態時には図６に示すように媒体載置部２９の延長線上に位置して媒体載置部２９による媒体Ｐの載置状態をサポートする板状の補助載置部３０とを備えている。さらに、媒体給送部２８には、補助載置部３０を下端側が上端側よりもＹ軸に沿う奥行方向で前方側に位置する斜め状態にして支持可能な支持ガイド３１と、支持ガイド３１により斜め状態に支持された補助載置部３０における上下方向の中途より下端側の部分を上方から挿入させて収納可能なポケット部３２とが設けられている。
【００２９】
補助載置部３０は、その下端側の部分がポケット部３２に収納されて支持ガイド３１により斜めに支持された状態（図５に示す状態）では、奥行方向（水平方向）に沿うＹ軸に対する傾斜角度θ１が、媒体載置部２９における奥行方向（水平方向）に沿うＹ軸に対する傾斜角度θ２よりも大きい。そして、図６に示すように、補助載置部３０は、その使用状態時にはポケット部３２から後方斜め上方に引き出され、支持ガイド３１から外れることで後方側への傾動が可能となり、媒体載置部２９の延長線上に位置する状態となったときに図示しない度当て部材に当接して媒体載置部２９による媒体Ｐの載置状態をサポート可能な斜め状態となる。
【００３０】
また、筐体１３の内部において、媒体載置部２９の下端部よりもＹ軸に沿う奥行方向の前方側で且つＺ軸に沿う鉛直方向の下側となる位置には、媒体給送部２８から給送された媒体Ｐを水平状態にして支持可能な支持台３３が設けられている。支持台３３よりもＹ軸に沿う奥行方向で媒体給送部２８側となる位置には、搬送駆動ローラー３４と搬送従動ローラー３５とが、媒体Ｐを挟持して回転することで媒体Ｐを搬送方向下流側となる排出口１８側に搬送するように設けられている。その一方、支持台３３よりもＹ軸に沿う奥行方向で排出口１８側となる位置には、排出駆動ローラー３６と排出従動ローラー３７とが、媒体Ｐを挟持して回転することで媒体Ｐを排出口１８を介して筐体１３の外部へ排出するように設けられている。
【００３１】
また、筐体１３の内部において、支持台３３の上方には、シャフト状のガイド軸３８がＸ軸に沿って延びるように架設されており、そのガイド軸３８にはキャリッジ３９がＸ軸に沿う幅方向への往復移動自在に支持されている。キャリッジ３９の下面側には、支持台３３上に支持された状態で搬送方向下流側に向けて搬送される媒体Ｐに向けて液体を噴射することで媒体Ｐに記録を行う記録部の一例である記録ヘッド４０が取り付けられている。そして、媒体Ｐに記録ヘッド４０から液体を噴射して記録を行う使用状態時には、図６に示すように、スタッカー１９が筐体１３内から前方に引き出され、排出口１８から排出された媒体Ｐを載置状態にして保持するようになっている。
【００３２】
図５及び図６に示すように、原稿読取装置１４の内部には、原稿載置面１５上の原稿の画像をＸ軸に沿う方向に移動しながら読み取り可能なイメージスキャナー４１が設けられている。すなわち、原稿読取装置１４は、原稿カバー１６が開き状態とされて原稿載置面１５上に載置された原稿の画像を原稿カバー１６が閉じ状態とされた後にイメージスキャナー４１により読み取る。なお、図５において二点鎖線で示すように、原稿カバー１６は、Ｙ軸に沿う奥行方向で奧側の端部となる後端部を回動支点として開閉動作するように構成されている。すなわち、原稿カバー１６は、Ｙ軸に沿う奥行方向で手前側の端部となる前端部にユーザーが手を掛けて開閉動作するように操作される。そのため、装置本体１２において、原稿カバー１６の前端部が位置する箇所である原稿載置面１５と筐体１３の前面１７とが交差する前面上部の角部４２には、閉じ状態にある原稿カバー１６の前端部にユーザーが手を掛けるときに指先を差し入れ可能な手掛け用の凹部４３が設けられている。なお、この凹部４３は、図１〜図４に示すように、装置本体１２における前面上部において操作部２０及び液体収容部２５とは幅方向において隣り合うように設けられている。
【００３３】
一方、筐体１３の前面１７で開閉動作する前面カバー２４は、前述したように、下端部を回動支点として上端部が前方側に回動することで開閉動作する構成であるため、図５等に示すように、その下端部の裏面側には回動支点を構成するヒンジ部４４が設けられている。そして、閉じ状態にある前面カバー２４を開放動作させるときには、その前面カバー２４においてヒンジ部４４が設けられた側とは反対側の端部（図５では上端部）にユーザーが手を掛けて奥行方向の手前側へ開くように操作される。そして、その際においては、装置本体１２の前面上部の角部４２に位置する手掛け用の凹部４３にユーザーの手の指先が差し入れられる。すなわち、原稿カバー１６を開放動作させるときにユーザーが手の指先を差し入れる手掛け用の凹部４３が、前面カバー２４を開放動作させるときにも手掛け用の凹部４３として共用される。
【００３４】
図７及び図８に示すように、前面カバー２４は、矩形の板部材であり、その裏面側には矩形枠状をなす補強用のリブ４５が形成されている。この矩形枠状のリブ４５において、前面カバー２４の回動支点となるヒンジ部４４が設けられた側とは前面カバー２４の短手方向で反対側となる位置で長手方向に延びる部分、すなわち、図８に示す閉じ状態とされたときに鉛直方向上側に位置して水平に延びる部分の中途には、窪み部４６が形成されている。そして、その窪み部４６の周縁部分のうちで前面カバー２４の裏面から立ち上がるリブ４５の先端側となる縁部分には、図８に示すように、断面形状が台形の土手部４７が形成されている。その一方、装置本体１２の内部において、前面カバー２４が図８に示す閉じ状態とされたときに窪み部４６の直上となる位置には、下方に向けて凸球面状をなすロック部材４８が、コイルスプリング４９により下方に向けて付勢された状態で設けられている。そのため、前面カバー２４は、図８に示す閉じ状態にあるときは、ロック部材４８が窪み部４６に対して弾性的に係合することで、その開放動作が規制されて閉じ状態が維持される。なお、ロック部材４８は、前面カバー２４が閉じ状態から開き状態に向けて開放されるとき、コイルスプリング４９の付勢力に抗して窪み部４６内から土手部４７を乗り越えて窪み部４６外に移動する。
【００３５】
図７に戻り、前面カバー２４の裏面側にＸ軸に沿う幅方向で対をなすように設けられた各ヒンジ部４４は、それぞれ幅方向の外側に向かって突出する円筒状の軸部５０を有している。すなわち、前面カバー２４は、これらの軸部５０が装置本体１２の内部に設けられた図示しない軸受け部に支持されることにより、軸部５０を回動中心にして回動するように構成されている。また、ヒンジ部４４には、軸部５０を挟んで前面カバー２４の裏面から離れる方向に延びるアーム部５１が設けられ、そのアーム部５１の先端部には軸部５０が突出する方向に隆起した係合凸部５２が設けられている。アーム部５１は撓み変形可能に構成され、前面カバー２４の開閉動作に伴い装置本体１２側に設けられた位置決め用の係合穴５３及び係合穴５４（図１０参照）に対して係合凸部５２が係合したり係合解除されたりするときに撓み変形する。
【００３６】
次に、上記のように構成された本実施形態の記録装置１０の作用について説明する。
さて、記録装置１０を媒体Ｐに記録ヘッド４０から液体を噴射して記録を行う使用状態とするときには、装置本体１２の背面側において媒体給送部２８の補助載置部３０が図５に示す状態から図６に示す状態となるようにポケット部３２から引き出され、媒体載置部２９の延長線上に位置する斜め状態とされる。この場合、補助載置部３０は、図５に示す状態では、その下端側が上端側よりも奥行方向で前方側に位置する斜め状態でポケット部３２に収納されている。そのため、補助載置部３０が、例えば媒体載置部２９の上端付近から鉛直下方に垂直な姿勢状態でポケット部３２に収納される場合よりも、装置本体１２の背面側における補助載置部３０の収納スペース（この場合、ポケット部３２の容量）を小さくすることができる。
【００３７】
一方、装置本体１２の前面側においては、スタッカー１９がその上側の排出口１８から排出される媒体Ｐを載置可能とするべく図５に示す状態から図６に示す状態となるように前方に向けて長く引き出される。そして、図６に示す状態において、媒体給送部２８から給送されて支持台３３上に搬送された媒体Ｐに対して記録ヘッド４０からキャリッジ３９の往復移動に伴い液体が噴射されると、媒体Ｐに文字等からなる画像が記録される。
【００３８】
ところで、支持台３３上を搬送方向で上流側となる媒体給送部２８側から下流側となる排出口１８側に向けて搬送される媒体Ｐが何らかの原因で搬送途中に詰まってしまうことがある。このような媒体Ｐの詰まり状態は迅速に解消されることが好ましい。そのため、こうした媒体Ｐの詰まり状態が装置本体１２内で生じた場合には、装置本体１２における筐体１３の前面１７に設けられた前面カバー２４がユーザーにより開放される。
【００３９】
すなわち、図９に示すように、前面カバー２４がその下端部のヒンジ部４４を回動支点として図６に示す閉じ状態から図９に示す開き状態へと開放される。その場合には、装置本体１２の前面上部の角部４２に設けられた手掛け用の凹部４３にユーザーの指先が差し入れられ、その凹部４３の位置でユーザーの手が掛けられた前面カバー２４の上端部が、図９において反時計方向へ移動するように開放動作させられる。すると、装置本体１２の筐体１３内が開口部２３を介して視認可能となり、ユーザーは支持台３３の付近でシワ状になって詰まっている媒体Ｐを開口部２３から手を差し入れて取り除くことができる。
【００４０】
図１０に示すように、前面カバー２４は、閉じ状態から開き状態に開放動作させられたとき、ヒンジ部４４におけるアーム部５１の先端部に設けられている係合凸部５２が開き状態保持用の係合穴５３に係合する。すなわち、閉じ状態のときには、閉じ状態保持用の係合穴５４に係合していた係合凸部５２が、前面カバー２４の開放動作時におけるアーム部５１の撓みを伴った揺動により、係合穴５４から外れて開き状態保持用の係合穴５３に係合するようになる。そのため、この係合凸部５２が開き状態保持用の係合穴５３に係合することにより、前面カバー２４は図９に示すように開き角度が略直角の第１開き状態に保持される。
【００４１】
図１１に示すように、係合凸部５２は、その断面形状が不等辺の台形状をなしている。すなわち、前面カバー２４が開閉動作する場合における開き方向側の斜面５２ａの傾斜角度が閉じ方向側の斜面５２ｂの傾斜角度よりも大きい。そのため、前面カバー２４は、図１０及び図１１に示す第１開き状態から閉じ状態となる方向に回動する際には、相対的に傾斜角度が小さい閉じ方向側の斜面５２ｂが係合穴５３の開口縁に摺動してアーム部５１を撓ませることになるため、その閉じ方向への操作力は小さくてよい。その一方、図１０及び図１１に示す第１開き状態から更に開き角度が大きくなる方向に回動する際には、相対的に傾斜角度が大きな開き方向側の斜面５２ａが係合穴５３の開口縁に摺動してアーム部５１を撓ませることになるため、その開き方向への操作力は大きなものが必要となる。つまり、第１開き状態にある前面カバー２４に何かが不用意に当たった場合に前面カバー２４が更に大きく開いて記録装置１０の設置面等にぶつかることを抑制できる。
【００４２】
図１２に示すように、前面カバー２４は、二点鎖線で示す第１開き状態から、更に開き角度が大きな実線で示す第２開き状態となるように、必要に応じて開放動作させることもできる。例えば、装置本体１２内から詰まっている媒体Ｐを取り出すときに、前面カバー２４がユーザーの手首等に接触して邪魔になる場合には、ユーザーにより更に前面カバー２４を反時計方向に回動させて第２開き状態まで開放させることができる。なお、その際には、図１２に示すように、それまで前方に引き出されていたスタッカー１９が元通りに装置本体１２内に押し戻される。そして、その状態において、スタッカー１９の先端部に上方から接触することで、前面カバー２４は記録装置１０の設置面にぶつかることなく、第２開き状態に保持される。
【００４３】
また、装置本体１２における上面を構成する原稿読取装置１４の原稿載置面１５に原稿をセットする際には、閉じ状態にある原稿カバー１６がユーザーにより開放される。すなわち、原稿カバー１６は、その後端部の図示しないヒンジ部を回動支点として図９に実線で示す閉じ状態から二点鎖線で示す開き状態へと開放される。そして、その際には、装置本体１２の前面上部の角部４２に設けられた手掛け用の凹部４３にユーザーの指先が差し入れられる。すなわち、前面カバー２４を開放させるときにも用いられた手掛け用の凹部４３が原稿カバー１６を開放させるときにも共用される。そして、その凹部４３の位置でユーザーの手が掛けられた原稿カバー１６の前端部が、図９において時計方向へ移動するように開放動作させられる。すると、原稿載置面１５の上方域が開放され、ユーザーは、原稿を原稿載置面１５上に載置することが可能となる。
【００４４】
また、液体収容部２５に液体を補充するときには、図１に示す状態から図４に示すようにタンクカバー２６が開放される。そして、その際には、図４に示すように装置本体１２の前面上部の角部４２に設けられている手掛け用の凹部４３が用いられる。すなわち、その凹部４３にユーザーの指先が差し入れられ、その凹部４３の位置でユーザーの手が掛けられたタンクカバー２６の後端部が、前方側へ回動するように開放動作させられる。すなわち、原稿カバー１６及び前面カバー２４をそれぞれ開放させるときに共用された手掛け用の凹部４３がタンクカバー２６を開放させるときにも共用される。
【００４５】
以上、説明した実施形態によれば以下の効果を得ることができる。
（１）原稿カバー（第１開閉部材）１６を開放動作させるためにユーザーが手を掛けるときに指先を差し入れる手掛け用の凹部４３と、前面カバー（第２開閉部材）２４を開放動作させるためにユーザーが手を掛けるときに指先を差し入れる手掛け用の凹部４３とが共用される。すなわち、装置本体１２の外面における複数箇所に複数の手掛け用の凹部４３を分散させて設けなくてよい。そのため、外観形状を複雑にすることなく、装置本体１２の複数の面にそれぞれ設けられた複数の開閉部材である原稿カバー１６及び前面カバー２４を容易に開放させることができる。
【００４６】
（２）装置本体１２の前面上部に、原稿カバー（第１開閉部材）１６及び前面カバー（第２開閉部材）２４をそれぞれ開放動作させるときに共用される手掛け用の凹部４３とユーザーにより操作される操作部２０とが隣り合って位置しているため、ユーザーによる記録装置１０の操作性が向上する。
【００４７】
（３）液体収容部２５に対する液体の注入作業を装置本体１２の正面となる前面側から行うことができるので、作業性が向上する。
（４）例えば液体収容部２５に外部から液体を注入するためにタンクカバー（第３開閉部材）２６を閉じ状態から開き状態に開放動作させる操作を、装置本体１２の正面である前面側から行うことができるので、この点でも、ユーザーによる記録装置１０の操作性が向上する。
【００４８】
（５）タンクカバー（第３開閉部材）２６を開放動作させるためにユーザーが手を掛けるときに指先を差し入れる手掛け用の凹部４３についても、原稿カバー（第１開閉部材）１６及び前面カバー（第２開閉部材）２４のそれぞれを開放動作させるためにユーザーが手を掛けるときに指先を差し入れる手掛け用の凹部４３と共用することができる。
【００４９】
（６）液体収容部２５の占有空間の一部を装置本体１２の外部に設けることができる。そのため、装置本体１２の小型化を図れる一方で、液体収容部２５の大容量化を図ることもできる。
【００５０】
（７）例えば、前面カバー（第２開閉部材）２４を開放させて装置本体１２の内部をメンテナンスする場合において、第１開き状態ではメンテナンス作業に支障がある場合は、その前面カバー（第２開閉部材）２４を第１開き状態よりも開き角度の大きい第２開き状態にすれば、メンテナンス作業をし易くなる。
【００５１】
（８）前面カバー（第２開閉部材）２４が第２開き状態から更に大きな開き角度まで開放動作されることを、下方から接触するスタッカー１９により規制できるので、前面カバー（第２開閉部材）２４が大きく開放されて他の部材にぶつかる虞を低減できる。
【００５２】
なお、上記実施形態は以下のように変更してもよい。また、以下の各変形例について組み合わせ可能なものを適宜組み合わせて更なる変形例としてもよい。
・原稿カバー１６に代えて原稿載置面１５上に原稿を自動搬送する媒体搬送装置により第１開閉部材を構成してもよい。
【００５３】
・装置本体１２において前面カバー（第２開閉部材）２４を第１開き状態より開き角度が大きい第２開き状態に下方から接触して保持する構成は、スタッカー１９に限らない。例えば、排出口１８の開口縁における下側縁辺に接触させる構成でもよい。
【００５４】
・前面カバー（第２開閉部材）２４は、第１開き状態と第２開き状態に加えて更に開き角度が大きな第３開き状態まで開放されて保持される構成でもよく、または、閉じ状態の他は第１開き状態だけで保持される構成でもよい。
【００５５】
・液体収容部２５は、装置本体１２の前面側でなく、例えば右側面等に設けられる構成でもよい。この場合、液体収容部２５及びタンクカバー２６は装置本体１２の前面上部に設けられた手掛け用の凹部４３とは隣り合っていない構成でもよい。
【００５６】
・原稿カバー（第１開閉部材）１６、前面カバー（第２開閉部材）２４及びタンクカバー（第３開閉部材）２６は、回動して開閉動作する構成に限らず、スライド移動して開閉動作する構成でもよい。
【００５７】
・装置本体１２の第１面と第２面は、上面と前面以外で構成されてもよい。例えば、装置本体１２における筐体１３の前面１７と右側面とにより第１面と第２面を構成してもよい。この場合、第１開閉部材及び第２開閉部材は、筐体１３の前面１７と右側面において開閉動作するように設けられ、共用される手掛け用の凹部４３は、筐体１３の前面１７と右側面とが交差する角部に設けられる。
【００５８】
・装置本体１２における互いに隣接する３つの面（例えば上面と前面と右側面）が交差する隅角部に手掛け用の凹部４３を設け、それら３つの面においてそれぞれ開閉動作する３つの開閉部材を開放させるときに三者共用の凹部４３を用いるようにしてもよい。
【００５９】
・媒体Ｐは、用紙に限らずプラスチックフィルムなどであってもよい。
・記録装置１０は、記録部として、キャリッジ３９に支持された記録ヘッド４０が、キャリッジ３９とともに筐体１３内に架設された幅方向に延びるガイド軸３８に沿って往復移動する構成の他に、記録ヘッド４０は移動せず幅方向の全域に渡ってノズルが形成された所謂ラインヘッドタイプの構成のプリンターであってもよい。あるいは、レーザープリンターであってもよい。
【符号の説明】
【００６０】
１０…記録装置、１２…装置本体、１３…筐体、１４…原稿読取装置、１５…原稿載置面（第１面）、１６原稿カバー（第１開閉部材）、１７…前面（第２面）、１８…排出口、１９…スタッカー、２０…操作部、２４…前面カバー（第２開閉部材）、２５…液体収容部、２６…タンクカバー（第３開閉部材）、２８…媒体給送部、２９…媒体載置部、３０…補助載置部、３１…支持ガイド、３２…ポケット部、３３…支持台、３４…搬送駆動ローラー、３５…搬送従動ローラー、３６…排出駆動ローラー、３７…排出従動ローラー、３８…ガイド軸、３９…キャリッジ、４０…記録ヘッド（記録部）、４１…イメージスキャナー、４２…角部、４３…凹部、４４…ヒンジ部、４５…リブ、４６…窪み部、４８…ロック部材、５３…係合穴、θ１，θ２…傾斜角度、Ｐ…媒体。
【図１】
2019098566.tif 000003
【図２】
2019098566.tif 000004
【図３】
2019098566.tif 000005
【図４】
2019098566.tif 000006
【図５】
2019098566.tif 000007
【図６】
2019098566.tif 000008
【図７】
2019098566.tif 000009
【図８】
2019098566.tif 000010
【図９】
2019098566.tif 000011
【図１０】
2019098566.tif 000012
【図１１】
2019098566.tif 000013
【図１２】
2019098566.tif 000014